(57)【要約】【課題】４種ガスの微量成分情報と流量を精度よく測定できる超音波式精密肺機能検査装置を提供する。【解決手段】ガスの微量成分情報を付与する事が可能な超音波式流量計を用いて、被検者の吸気呼気の流量を精度よく測定し、超音波式流量計の特徴である測定管内部に突起物や狭窄部の無い事を利用して測定管の内側に、超音波の伝搬経路に交換式として使用することができるメンブレンフィルタを備えた開口構造を持つ管から構成され、被検者間の感染防止にもつながる。【選択図】図１
2016120256.tif 000002
【特許請求の範囲】
【請求項１】
４種ガスの流量を測定する機能を持つ超音波式フローメータを搭載した一酸化炭素肺拡散能力の検査に用いる精密肺機能検査装置。
【請求項２】
４種ガスの微量成分情報を付与する事で、そのガスの流量を精度よく測定する機能を持った超音波式フローメータを搭載した一酸化炭素肺拡散能力の検査に用いる精密肺機能検査装置。
【請求項３】
一酸化炭素肺拡散能力の検査に用いる精密肺機能検査装置の測定管内に、取り外しが可能な交換式の管を差し込み使用する構造の精密肺機能検査装置。
【請求項４】
４種ガスと空気について、０から９６０リットル毎分の流量を精度よく測定する機能を持った超音波式フローメータを搭載し、肺活量測定の機能を合わせ持った一酸化炭素肺拡散能力の検査に用いる精密肺機能検査装置。
【発明の詳細な説明】
【技術分野】
【０００１】  本発明は、超音波式流量計を利用した、一酸化炭素肺拡散能力の検査に用いる精密肺機能検査装置の流量測定に関するものである。
【背景技術】
【０００２】  従来の一酸化炭素肺拡散能力の検査に用いる精密肺機能検査は、通常の肺活量計と異なる装置が必要である。【０００３】  精密肺機能検査は、被検者に低濃度の炭酸ガスを含む医療用４種ガスを吸入させ１０秒間呼吸を停止させ、その間に血中に移行した炭酸ガス量を求め肺拡散能を測定する検査であり、被検者の呼気ガスを一旦装置内部にため、そのガス成分中の炭酸ガス濃度を検出・解析する事で、測定者が取り込んだ酸素量を推測する。【０００４】  医療用４種ガスの成分と濃度は、およそ酸素２１％、ヘリウム１０％、炭素０．３％、残りは窒素である。精密肺機能検査では、検査を受ける被検者が、４種ガスを吸い込んだ量や吐き出す量を正確に測定する必要があるが、現在は実現できていない。【０００５】  これまでの一般的な測定方法では、正確な流量を測らずに、被検者の吐出し量を一定時間で区切り分離することで流量を推測しているが、被検者の体格や年齢、病状によっては、時間で区切る方式は不正確となる場合がある。【０００６】  肺活量測定について、被検者の呼吸を妨げない抵抗の少ない構造で、流量測定範囲０から９６０リットル毎分で高精度の測定性能が必要である。【０００７】  超音波式流量計を用いた肺活量計では測定管流路の上流と下流とに一対の超音波振動子からなる超音波伝搬路を流れの方向に斜交して設け、上流側の振動子から流れの方向に超音波を発信し、この超音波を下流側の振動子で受信し、振動子への超音波の伝搬時間を計測する事で実現している。【０００８】  また、超音波式の肺活量計の特徴として、測定管流路に使い捨て可能な交換式の管を差し込んで使用することで、患者呼気から飛散する菌や唾液から流路を防御する事が可能で、その管を保険者毎に交換することで被検者間の感染防止を可能としている。
【発明の概要】
【発明が解決しようとする課題】
【０００９】  被検者が医療用４種ガスを吸い込んだ量や吐き出す量を正確に測定する事が必要である。【００１０】  一酸化炭素肺拡散能力の検査に用いる精密肺機能検査装置について、４種ガスのみならず、空気についても肺活量測定を行う事を課題としている。【００１１】  測定する患者間の感染防止機能を維持する構造である事。
【課題を解決するための手段】
【００１２】  医療用４種ガスを吸い込んだ量と吐き出す量を正確に測定するために、超音波式の流量計の算出式について、通常の空気の音速値（秒速３５０ｍ）と４種ガスの音速値（秒速３６７ｍ）の差を補正するための微調整を行う事で解決する装置である。【００１３】  医療用４種ガスを吸入した時の呼気は、体内で酸素が取り込まれて成分が変化し音速値についても同様に変化してしまう。そこで超音波流量計の構造を流路の上流と下流とに一対の超音波振動子からなる超音波伝搬路を流れの方向に斜交して設け、上流側と下流側の超音波振動子の発信受信の伝搬時間の差から測定管内の流体の流速を算出する。流体すなわち被検者の吸気呼気の流量を検知する方式として算出した結果、誤差が極小さくなる測定原理の超音波式精密肺機能検査装置を提供する。【００１４】  測定管の流路内に、整流構造が付属した取り外しが可能な管を差し込んだ状態で使用する事により解決する。
本発明は、以上の構成からなる超音波式精密肺機能検査装置である。
【発明の効果】
【００１５】  一酸化炭素肺拡散能力の検査に用いる精密肺機能検査装置の流量測定に超音波式流量計を使用する事により、被検者の呼気と吸気の双方について、高精度な流量測定値が得られる。【００１６】  測定管の流体の流れる流路部に、容易に取り外しが可能な管を差し込み使用する事により、被検者毎にその管を交換使用する方法で、被検者の吸気呼気から発せられる唾液飛沫や菌類が測定管を介して他の被検者に伝搬する事を防ぎ被検者間の感染の防止を可能とする。【００１７】  一酸化炭素肺拡散能力の検査に用いる精密肺機能検査装置の流量測定に超音波式流量計を使用する事により、同一の装置で肺活量の測定も可能となる。
【図面の簡単な説明】
【００１８】
【図１】本発明の測定管全体を示した図である。
【図２】本発明の測定管から取り外した交換式管を示した図である。
【発明を実施するための形態】
【００１９】  図１は、超音波流量計の測定管について超音波の伝搬経路と交換式の管の位置を説明している断面図である。図２は、交換式の管の構造を説明している。
【００２０】  肺活量測定について、測定者の呼吸を妨げない抵抗の少ない構造で、流量測定範囲０から９６０リットル毎分で高精度の測定性能が可能である。
【００２１】  また、４種ガスと空気について、０から９６０リットル毎分の流量を精度よく測定し、肺活量測定の機能を合わせ持つことで、一酸化炭素肺拡散能力の検査に用いることが可能である。
【００２２】  超音波式流量計を用いた肺活量計では測定管流路の上流と下流とに一対の超音波振動子からなる超音波伝搬路を流れの方向に斜交して設け、上流側の振動子から流れの方向に超音波を発信し、この超音波を下流側の振動子で受信し、振動子への超音波の伝搬時間を計測する事で実現している。
【００２３】  また、超音波式の肺活量計の特徴として、測定管流路に使い捨て可能な交換式の管を差し込んで使用することで、患者呼気から飛散する菌や唾液から流路を防御する事が可能で、その管を被検者毎に交換することで被検者間の感染防止を可能としている。
【００２４】  被検者が医療用４種ガスを吸い込んだ量や吐き出す量を正確に測定する事が可能な超音波式フローメータを搭載した一酸化炭素肺拡散能力の検査に用いることができる。
【００２５】  これは、４種ガスの微量成分情報を付与する事で、そのガスの流量を精度よく測定する機能を持たせている。
【００２６】  本発明の精密肺機能検査装置の測定管内に、取り外しが可能な交換式の管を差し込み使用する構造を採用している。
【００２７】  本発明は、超音波流量計を利用した一酸化炭素肺拡散能力の検査に用いる精密肺機能検査装置について、医療用４種ガスの微量成分情報を付与する事で被検者の吸気呼気の流量を精度よく測定する機能を持つ。
【００２８】  測定管の内側に被検者ごとに容易に取り換え可能な管を差し込んで使用する事で被検者間の感染を防止する。
【符号の説明】
【００２９】１  測定管
２  超音波素子
３  超音波伝搬経路、
４  メンブレンフィルタ
５  取り外しが可能な交換式の管
６  測定ガス流路
【図１】
2016120256.tif 000003
【図２】
2016120256.tif 000004